(57)【要約】【課題】  姿勢を矯正すると共に、腕を吊りベルトで吊ることにより肩こり、肩痛及び肩部にかかる負担を軽減させる姿勢矯正サポータを提供する。【解決手段】  被着者の身体における肩から上腕にかけての部位を一対の肩保持部１０ａ、１０ｂで左右各々覆い、所定長の帯状体で形成される吊りベルト２０が、一方端及び他方端が肩保持部１０ａ、１０ｂの左右背面側で交差して略環状体となり、左右肩部に吊り下げられて胸部側の略Ｕ字状の環内に腕を挿入可能としているので、腕を吊りベルト２０で吊持して腕の重みによる肩の負担を軽減すると共に、この腕の重みにより吊りベルト２０を下方へ引き下げる力で交差状の吊りベルト２０が一対の肩保持部１０ａ、１０ｂを互いに引き合う方向に作用することにより、胸部を拡開して猫背、前屈み等の姿勢を矯正できることとなり、肩こり、肩痛等を軽減又は防止する【選択図】    図１
2006042851.tif 000002
【特許請求の範囲】
【請求項１】
被着者の身体における肩から上腕にかけての部位を左右各々覆う一対の肩保持部と、
所定長の帯状体で形成され、当該帯状体の一方端及び他方端が前記肩保持部の左右背面側に交差するように取り付けられて略環状体を形成し、左右両肩部に吊り下げられて胸部側の略Ｕ字状の環内に腕を挿入可能とされてなる吊りベルトとを備えることを
特徴とする姿勢矯正サポータ。
【請求項２】
前記請求項１に記載の姿勢矯正サポータにおいて、
前記肩保持部が、強伸縮性の素材で形成され、前記肩保持部の左右各々を連結する第１の連結バンドを背面側に配設していることを
特徴とする姿勢矯正サポータ。
【請求項３】
前記請求項１に記載の姿勢矯正サポータにおいて、
前記肩保持部が、伸縮性の素材で形成されていることを
特徴とする姿勢矯正サポータ。
【請求項４】
前記請求項１に記載の姿勢矯正サポータにおいて、
前記肩保持部が、前記第１の連結バンドの伸縮性よりも弱い伸縮性の素材で形成され、前記肩保持部の左右各々を連結する第２の連結バンドを胸部側に配設していることを
特徴とする姿勢矯正サポータ。
【発明の詳細な説明】
【技術分野】
【０００１】
本発明は、猫背、前屈み等の姿勢を矯正する姿勢矯正器具に関し、特に肩こり、肩痛等を軽減させる姿勢矯正サポータに関する。
【背景技術】
【０００２】
従来、この種の姿勢矯正器具の一例として、特開特開２００２−１７７３０９号(以下、特許文献１)があり、これを図６及び図７に示す。図６は従来の姿勢矯正ベルトを示す図、図７は従来の姿勢矯正ベルトを装着した状態(正面)を示す図である。
【０００３】
前記図６において従来の姿勢矯正ベルトは、中央部から両端部に向かって狭幅となり全体として略山形をなす胸部ベルト１０１と、一端が胸部ベルト１０１の山の頂上部に縫着された肩掛ベルト１０２、１０３とから構成される。
【０００４】
前記胸部ベルト１０１は、伸縮性をもつ材質で形成され、一方端の裏面に面ファスナー１０４が取り付けられ、この面ファスナー１０４により前記一方端が他方端の表面に貼着自在とされる構成である。また、前記胸部ベルト１０１の中央部には、開口部１０５が形成されている。
【０００５】
前記肩掛ベルト１０２、１０３は、前記胸部ベルト１０１と同様に伸縮性を持つ材質で形成され、前記胸部ベルト１０１の山の稜線に沿って延びる略延長線上に縫着されている。また、各他方端の裏面には面ファスナー１０６、１０７が取り付けられ、この面ファスナー１０６、１０７により前記肩掛ベルト１０２、１０３は前記胸部ベルト１０１の表面に貼着自在とされる構成である。
【０００６】
次に、従来の姿勢矯正ベルトの装着状態を図４に基づいて説明する。前記胸部ベルト１０１は、背中側から大胸筋の下部に巻回され、両端部が胸部側で面ファスナー１０４により貼着されて連結される。また、前記肩掛ベルト１０２、１０３は、各々前記胸部ベルト１０１の背中側中央部から肩に回され、脇の下を通って身体の側面の背中寄りの位置において、面ファスナー１０６、１０７により前記胸部ベルト１０１に貼着される。
【０００７】
前記肩掛ベルト１０２、１０３は、伸縮性を持つ材質で形成されているので、両肩に引っ張る力を及ぼして両肩を後方に引っ張りながら開き、逆に胸部を前に押し出すようにすることで姿勢を矯正する。
このようにして、この姿勢矯正ベルトは猫背、前屈み等の悪い姿勢を矯正して背筋を伸ばすことができる。
【特許文献１】特開２００２−１７７３０９号
【発明の開示】
【発明が解決しようとする課題】
【０００８】
従来の姿勢矯正ベルトは、以上のように構成されていたことから、猫背、前屈み等の姿勢を矯正することができても、現在生じている肩こり、肩痛等を軽減させることができないという課題を有する。
【０００９】
また、この従来の姿勢矯正ベルトは、前記胸部ベルト１０１が背中側から大胸筋の下部に巻回されて装着されるので、長時間に亘り使用する場合には、前記胸部ベルト１０１の締め付け、食い込みなどにより圧迫感を感じるようになることから、装着することが苦痛になるという課題を有する。
【００１０】
本発明は、前記課題を解決するためになされたもので、姿勢を矯正すると共に、腕を吊りベルトで吊ることにより肩こり、肩痛及び肩部にかかる負担を軽減させる姿勢矯正サポータを提供することを目的とする。
【課題を解決するための手段】
【００１１】
本発明に係る姿勢矯正サポータは、被着者の身体における両肩から上腕にかけての部位を左右各々覆う一対の肩保持部と、所定長の帯状体で形成され、この帯状体の一方端及び他方端が肩保持部の左右背面側に取り付けられて略環状体を形成し、胸部側の略U字状の環内に腕を挿入可能とされてなる吊りベルトとを備え、吊りベルトが身体の背中側で交差するように左右両肩部に掛けて吊り下げられるものである。
【００１２】
また、本発明に係る姿勢矯正サポータは必要に応じて、強伸縮性の素材で形成され、前記肩保持部の左右各々を連結する第１の連結バンドを前記肩保持部の背面側に配設するものである。
【００１３】
また、本発明に係る姿勢矯正サポータは必要に応じて、前記肩保持部が伸縮性の素材で形成されているものである。
【００１４】
また、本発明に係る姿勢矯正サポータは必要に応じて、前記第１の連結バンドの伸縮性よりも弱い伸縮性の素材で形成され、前記肩保持部の左右各々を連結する第２の連結バンドを前記肩保持部の胸部側に配設するものである。
【発明の効果】
【００１５】
本発明においては、被着者の身体における肩から上腕にかけての部位を一対の肩保持
部で左右各々覆い、所定長の帯状体で形成される吊りベルトが、一方端及び他方端が肩保持部の左右背面側で交差して略環状体となり、左右肩部に吊り下げられて胸部側の略Ｕ字状の環内に腕を挿入可能としているので、腕を吊りベルトで吊持して腕の重みによる肩の負担を軽減すると共に、この腕の重みにより吊りベルトを下方へ引き下げる力で交差状の吊りベルトが一対の肩保持部を互いに引き合う方向に作用することにより、胸部を拡開して猫背、前屈み等の姿勢を矯正できることとなり、肩こり、肩痛等を軽減又は防止するという効果を有する。
【００１６】
肩保持部に保温機能を持たせた場合は、冬季等のように気温が下がり、被着者の身体の筋肉が緊張してほぐれていない状態でも、肩が前記肩保持部により保温されながら適度なサポート力で覆われるので、本サポータを装着している間に血行が促進され、肩こり、肩痛が緩和されるという効果を有する。
【００１７】
また、本発明においては、強伸縮性の素材で形成される第１の連結バンドが背面側で一対の肩保持部を連結しているので、肩保持部の左右各々を背面側で互いに引き合う方向に作用し、またこの作用に加えて、腕を吊りベルトで吊持して腕の重みにより吊りベルトを下方へ引き下げる力で交差状の吊りベルトが一対の肩サポータを互いに引き合う方向に作用するので、胸部がより拡開され易くなり、猫背、前屈み等の悪い姿勢をより早く矯正して背筋を伸ばすという効果を有する。
【００１８】
また、本発明においては、肩保持部が伸縮性の素材で形成されているので、肩から上腕にかけての部位を密着して、且つ適度なサポート力で覆うこととなり、被着者が身体を動かしてもずれ落ちたりすることがなく、また、伸縮性の素材で適度に密着して肩との摩擦により肌の温度を上昇させることから、冬季等のように気温が下がる場合でも保温性が維持されるという効果を有する。
【００１９】
また、本発明においては、第１の連結バンドの伸縮性よりも弱い伸縮性の素材で形成される第２の連結バンドが胸部側で一対の肩保持部を連結しているので、胸部が拡開されようとする作用を阻害することなく、安定した装着が可能となり、肩こり、肩痛等が生じている肩を確実にサポートするという効果を有する。
【発明を実施するための最良の形態】
【００２０】
(本発明の第１の実施形態)
以下、本発明の第１の実施形態に係る姿勢矯正サポータを図１及び図２に基づいて説明
する。図１は本実施形態に係る姿勢矯正サポータを装着した状態(正面)を示す図、図２は本実施形態に係る姿勢矯正サポータを装着した状態(背面)を示す図である。
前記図１及び図２において本実施形態に係る姿勢矯正サポータは、被着者の身体における肩から上腕にかけての部位を左右各々覆う一対の肩保持部１０(１０ａ、１０ｂ)と、所定長の帯状体に形成される吊りベルト２０とを備え、この吊りベルト２０が、一方端２０ａ及び他方端２０ｂを前記肩サポータ１０の左右背面側に交差して取り付けられて略環状体となり、被着者の左右の肩部分に吊り下げられて胸部側の略Ｕ字状の環内に腕を挿入する構成である。なお、前記肩保持部１０の寸法、吊りベルト２０の長さ及び幅については、被着者の身長、体型に適合するいくつかの種類、例えばS、M、L等が用意されるので、これらの中から被着者が選択できるようになっている。また、前記吊りベルト２０は、前記略Ｕ字状の部分が幅広となり、この幅広の部分で手首から肘にかけての部位を吊持するようになっている。
【００２１】
次に、前記構成に基づく本実施形態に係る姿勢矯正サポータの装着方法及び使用状態を説明する。被着者は、まず、一対の肩保持部１０ａ、１０ｂの各々に左右の腕を通し、上端部を肩部上部まで引き上げると共に下端部を上腕に位置させ、こうして肩から上腕にかけて肩保持部１０を装着した状態となる。
続いて、前記吊りベルト２０を背中側から左右の肩に吊り下げると、胸部側の略Ｕ字状の環内に腕を挿入して吊持することが可能となり、このようにして姿勢矯正サポータの装着が完了する。
【００２２】
続いて、腕を前記吊りベルト２０の略Ｕ字状の環内に挿入して吊持し、本姿勢矯正サポータの使用状態となる。この使用状態においては、腕の手首から肘にかけての部位を吊りベルト２０で吊持して腕の重みによる肩の負担を軽減すると共に、この腕の重みにより吊りベルト２０を下方へ引き下げる力で交差状の吊りベルト２０が一対の肩保持部１０ａ、１０ｂを互いに引き合う方向に作用することにより、胸部を拡開して猫背、前屈み等の姿勢を矯正できることとなり、肩こり、肩痛等を軽減又は防止することができる。
【００２３】
次に、本実施形態がどの程度の効果を持つかを簡単な計算により示す。前記吊りベルト２０にかかる腕の重量を約3kg、前記吊りベルト２０の交差角度を60度と仮定すると、前記肩保持部１０が前記吊りベルト２０により引っ張られる力は、約1.5kgとなる。
【００２４】
この程度の力は、肩保持部１０を装着している被着者が圧迫感を感じることもなく、また胸を拡開させて猫背、前屈みの姿勢を矯正するのに十分な力となり得るため、本実施形態が実用上有効であることが分かる。
【００２５】
また、腕の重量約3kgを前記吊りベルト２０で吊持することは、吊るされている時間が長ければ長いほど、肩にかかる負担を相当に軽減することとなり、肩こり、肩痛等を緩和できることが実感できる。
【００２６】
(本発明の第２の実施形態)
以下、本発明の第２の実施形態に係る姿勢矯正サポータを図３に基づいて説明する。図３は本実施形態に係る姿勢矯正サポータを装着した状態(背面)を示す図である。
前記図３において本実施形態に係る姿勢矯正サポータは、前記第１の実施形態と同様に
肩保持部１１[(１１ａ、１１ｂ)、１０ａ、１０ｂに相当]及び吊りベルト２０を備え、前記肩保持部１１ａ、１１ｂが、強伸縮性の素材で形成される第１の連結バンド３０により身体の背面側で左右各々を連結される構成である。
【００２７】
次に、前記構成に基づく本実施形態に係る姿勢矯正サポータの装着方法及び使用状態を説明する。被着者は、まず、前記肩保持部１１ａ、１１ｂを前記第１の実施形態と同様にして装着する。この時点においては、前記第１の連結バンド３０が、前記肩保持部１１ａ、１１ｂの左右各々を背面側で互いに引き合う方向に作用し、胸部を拡開させる。
【００２８】
続いて、前記第１の実施形態と同様にして、腕を前記吊りベルト２０の略Ｕ字状の環内に挿入して吊持し、本姿勢矯正サポータの使用状態となる。この使用状態においては、前記第１の連結バンド３０が胸部を拡開させる作用に加えて、腕を前記吊りベルト２０で吊持することにより、腕の重みがこの吊りベルト２０を下方へ引き下げ、交差状の吊りベルト２０が一対の前記肩保持部１１ａ、１１ｂを互いに引き合う方向に作用するので、胸部がより拡開され易くなる。
【００２９】
このように、本実施形態に係る姿勢矯正サポータは、前記第１の連結バンド３０及び前記吊りベルト２０が共に胸部を拡開させる相乗効果を有しているので、より早く且つ効率的に猫背、前屈み等の姿勢を矯正して背筋を伸ばすことができる。
【００３０】
(本発明の第３の実施形態)
以下、本発明の第３の実施形態に係る姿勢矯正サポータを図４に基づいて説明する。図３は本実施形態に係る姿勢矯正サポータを装着した状態(正面)を示す図である。
前記図４において本実施形態に係る姿勢矯正サポータは、前記第２の実施形態と同様に肩保持部１２[(１２ａ、１２ｂ)、１１ａ、１１ｂに相当]、吊りベルト２０及び第１の連結バンド３０を備え、前記肩保持部１２ａ、１２ｂが、前記第１の連結バンド３０の伸縮性よりも弱い伸縮性の素材で形成される第２の連結バンド４０により、身体の胸部側で左右各々を連結される構成である。
【００３１】
次に、前記構成に基づく本実施形態に係る姿勢矯正サポータの装着方法及び使用状態を説明する。被着者は、まず、前記肩保持部１２ａ、１２ｂを前記第２の実施形態と同様にして装着する。この時点においては、前記第２の実施形態と同様、前記第１の連結バンド３０が、前記肩保持部１２ａ、１２ｂの左右各々を背面側で互いに引き合う方向に作用し、胸部を拡開させる。
【００３２】
続いて、前記第２の実施形態と同様、腕を前記吊りベルト２０で吊持することにより、胸部がより拡開され易くなる。このようにして、本姿勢矯正サポータは、猫背、前屈み等の姿勢を矯正して背筋を伸ばすことができる。
【００３３】
また、前記第２の連結バンド４０が、前記肩保持部１２ａ、１２ｂを胸部側で連結していても、前記第１の連結バンド３０の伸縮性よりも弱い伸縮性の素材で形成されているので、胸部が拡開されようとする作用を阻害することはなく、初期の装着状態から位置がずれることもなく安定した装着が可能となり、肩こり、肩痛等が生じている肩を確実にサポートすることができる。
【００３４】
(本発明の他の実施形態)
以下、本発明の他の実施形態に係る姿勢矯正サポータを図５に基づいて説明する。図５
は本実施形態に係る姿勢矯正サポータの全体構成を示す。
前記図５において本実施形態に係る姿勢矯正サポータは、前記第３の実施形態と同様に、肩保持部１３[(１３ａ、１３ｂ)、１２ａ、１２ｂに相当] 、吊りベルト５０、第１の連結バンド３０及び第２の連結バンド４０を備え、前記肩保持部１３ａ、１３ｂが、胸部側及び背面側の身体中央寄りの位置に略矩形状の面ファスナー１４ａ及び１５ａ、１４ｂ及び１５ｂを各々配設し、前記吊りベルト５０の一方端５０ａ及び他方端５０ｂには、前記面ファスナー１５ａ、１５ｂに対応して着脱自在な面ファスナー５１(５１ａ、５１ｂ)が各々配設される構成である。
【００３５】
次に、前記構成に基づく本実施形態に係る姿勢矯正サポータの装着方法及び使用状態を図５に基づいて説明する。被着者は、まず、前記吊りベルト５０を、一方端５０ａ及び他方端５０ｂが前記肩保持部１３の左右背面側に交差して取り付けられるように、前記面ファスナー５１ａ、５１ｂ及び面ファスナー１５ａ、１５ｂ同士を係合させ、前記肩保持部１３に取り付ける。
【００３６】
続いて、前記吊りベルト５０を取り付けた肩保持部１３を、前記第１の実施形態と同様にして装着し、環状体を形成する前記吊りベルト５０を左右肩部に吊り下げると、胸部側の略Ｕ字状の環内に腕が挿入可能な状態となる。このようにして、腕を前記吊りベルト５０の略Ｕ字状の環内に挿入して吊持し、本姿勢矯正サポータの使用状態となる。
【００３７】
この使用状態においては、前記第１の実施形態と同様の効果が得られるだけでなく、前記吊りベルト５０を前記面ファスナー５１ａ、５１ｂにより着脱自在としているので、被着者の体型が変化し、前記吊りベルト５０の長さを変える必要性が生じた場合でも、前記面ファスナー５１ａ、５１ｂ の係着可能な範囲内で係着位置を調整して、自身の体型に合わせることができる。
【００３８】
また、他の実施形態に係る姿勢矯正サポータは、前記他の実施形態と同様に、前記第１の連結バンド３０或いは前記第２の連結バンド４０のいずれか一方を、前記面ファスナー３１ａ、３１ｂ及び前記面ファスナー１５ａ、１５ｂ或いは前記面ファスナー４１ａ、４１ｂ及び前記面ファスナー１４ａ、１４ｂを各々係合させることにより、前記肩保持部１３に取り付ける構成である。
【００３９】
この使用状態においては、前記第２及び前記第３の実施形態と同様の効果が得られるだけでなく、前記各面ファスナーの係着可能な範囲内で係着位置を調整して、自身の体型に合わせることができる。また、前記各面ファスナーが着脱自在であるので、いつでも簡単に取り外すことが可能であり、また簡単に取り付けることもできる。
【００４０】
また、他の実施形態に係る姿勢矯正サポータは、前記第１の実施形態における肩保持部１０ａ、１０ｂが伸縮性の素材で形成されているものである。
【００４１】
本姿勢矯正サポータの使用状態においては、前記肩サポータ１０が肩から上腕にかけての部位を密着して、且つ適度なサポート力で覆うこととなり、被着者が身体を動かしてもずれ落ちたりすることがなく、また、伸縮性の素材で適度に密着して肩との摩擦により肌の温度を上昇させることから、冬季等のように気温が下がる場合でも保温性が維持される。
【００４２】
また、他の実施形態に係る姿勢矯正サポータは、前記実施形態における前記吊りベルト２０(又は５０)における交差部分の交差角度を略６０度に規定するものである。この交差角度を有する前記吊りベルト５０を使用している本姿勢矯正サポータは、被着者の身長、肩幅及び体型に関係なく、猫背、前屈み等の姿勢を無理なく、且つ身体に優しく矯正することができる。
【図面の簡単な説明】
【００４３】
【図１】第１の実施形態に係る姿勢矯正サポータを装着した状態(正面)を示す図である。
【図２】第１の実施形態に係る姿勢矯正サポータを装着した状態(背面)を示す図である。
【図３】第２の実施形態に係る姿勢矯正サポータを装着した状態(背面)を示す図である。
【図４】第３の実施形態に係る姿勢矯正サポータを装着した状態(正面)を示す図である。
【図５】他の実施形態に係る姿勢矯正サポータを説明するための図である。
【図６】従来の姿勢矯正ベルトを示す図である。
【図７】従来の姿勢矯正ベルトを装着した状態(正面)を示す図である。
【符号の説明】
【００４４】
１０ａ、１０ｂ、１１ａ、１１ｂ、                    肩保持部
１２ａ、１２ｂ、１３ａ、１３ｂ                      肩保持部
２０、５０                                          吊りベルト
３０                                                第１の連結バンド
４０                                                第２の連結バンド
５０ａ、５０ｂ                                      一方端及び他方端
１４ａ、１４ｂ、１５ａ、１５ｂ、                    面ファスナー
３１ａ、３１ｂ、４１ａ、４１ｂ、                    面ファスナー
５１ａ、５１ｂ、１０４、１０６、１０７              面ファスナー
１０１                                              胸部ベルト
１０２、１０３                                      肩掛ベルト
１０５                                              開口部
【図１】
2006042851.tif 000003
【図２】
2006042851.tif 000004
【図３】
2006042851.tif 000005
【図４】
2006042851.tif 000006
【図５】
2006042851.tif 000007
【図６】
2006042851.tif 000008
【図７】
2006042851.tif 000009
【手続補正書】
【提出日】平成17年5月11日(2005.5.11)
【手続補正１】
【補正対象書類名】図面
【補正対象項目名】図１
【補正方法】変更
【補正の内容】
【図１】
2006042851.tif 000010
【手続補正２】
【補正対象書類名】図面
【補正対象項目名】図２
【補正方法】変更
【補正の内容】
【図２】
2006042851.tif 000011
【手続補正３】
【補正対象書類名】図面
【補正対象項目名】図３
【補正方法】変更
【補正の内容】
【図３】
2006042851.tif 000012
【手続補正４】
【補正対象書類名】図面
【補正対象項目名】図４
【補正方法】変更
【補正の内容】
【図４】
2006042851.tif 000013
【手続補正５】
【補正対象書類名】図面
【補正対象項目名】図５
【補正方法】変更
【補正の内容】
【図５】
2006042851.tif 000014